(57)【要約】【課題】小型軽量で優れた光学性能を有した撮影レンズを提供する。【解決手段】正の屈折力を有する第１レンズ群Ｇ１と、負の屈折力を有する第２レンズ群Ｇ２と、正の屈折力を有する第３レンズ群Ｇ３とを有し、無限遠物体から有限距離物体への合焦の際、第２レンズ群Ｇ２が光軸に沿って移動するように構成された撮影レンズＭＬにおいて、第１レンズ群Ｇ１における所定の条件（焦点距離：ｆ11p＜５００ｍｍ）を満足する正レンズのうち最も物体側の正レンズは、ｄ線の屈折率をｎd1pとし、ｄ線のアッベ数をνd1pとしたとき、条件式「ｎd1p＞１．５０」および条件式「νd1p＜７０．０」を満足している。【選択図】図１
2014211497.tif 000002
【特許請求の範囲】
【請求項１】
光軸に沿って物体側から順に並んだ、正の屈折力を有する第１レンズ群と、負の屈折力を有する第２レンズ群と、第３レンズ群とを有し、無限遠物体から有限距離物体への合焦の際、前記第２レンズ群が光軸に沿って移動するように構成された撮影レンズであって、
以下の条件式を満足することを特徴とする撮影レンズ。
ｎd1p＞１．５０
νd1p＜７０．０
但し、
ｎd1p：前記第１レンズ群における所定の条件を満足する正レンズのうち最も物体側の正レンズのｄ線の屈折率、
νd1p：前記第１レンズ群における前記最も物体側の正レンズのｄ線のアッベ数、
また、
前記第１レンズ群における前記最も物体側の正レンズの焦点距離をｆ11pとしたとき、前記所定の条件として次式を満足する。
０＜ｆ11p＜５００（ｍｍ）
【請求項２】
以下の条件式を満足することを特徴とする請求項１に記載の撮影レンズ。
０．５０＜ｆ11p／ｆ＜２．００
但し、
ｆ：前記撮影レンズの焦点距離、
ｆ11p：前記第１レンズ群における前記最も物体側の正レンズの焦点距離。
【請求項３】
前記第３レンズ群のうち少なくとも１枚のレンズは、光軸と垂直な方向の成分を有するように移動可能に設けられていることを特徴とする請求項１または２に記載の撮影レンズ。
【請求項４】
前記第１レンズ群は、光軸に沿って物体側から順に並んだ、前群と、前記前群に対し前記第１レンズ群の中で最も長い空気間隔を隔てた後群とからなり、
前記前群は、光軸に沿って物体側から順に並んだ、２枚の正レンズと、１枚の負レンズとを有することを特徴とする請求項１から３のいずれか一項に記載の撮影レンズ。
【請求項５】
前記第１レンズ群は、光軸に沿って物体側から順に並んだ、前群と、前記前群に対し前記第１レンズ群の中で最も長い空気間隔を隔てた後群とからなり、
前記後群は、物体側から順に負レンズと正レンズとが貼り合わされた接合レンズを有することを特徴とする請求項１から４のいずれか一項に記載の撮影レンズ。
【請求項６】
前記第１レンズ群は、光軸に沿って物体側から順に並んだ、前群と、前記前群に対し前記第１レンズ群の中で最も長い空気間隔を隔てた後群とからなり、
以下の条件式を満足することを特徴とする請求項１から５のいずれか一項に記載の撮影レンズ。
Ｄ1ab／Ｄ1＞０．３０
但し、
Ｄ1：前記第１レンズ群の長さ、
Ｄ1ab：前記前群と前記後群との空気間隔。
【請求項７】
物体の像を所定の面上に結像させる撮影レンズを備えた光学機器であって、
前記撮影レンズが請求項１から６のいずれか一項に記載の撮影レンズであることを特徴とする光学機器。
【請求項８】
光軸に沿って物体側から順に、正の屈折力を有する第１レンズ群と、負の屈折力を有する第２レンズ群と、第３レンズ群とを配置する撮影レンズの製造方法であって、
無限遠物体から有限距離物体への合焦の際、前記第２レンズ群が光軸に沿って移動し、
以下の条件式を満足するようにしたことを特徴とする撮影レンズの製造方法。
ｎd1p＞１．５０
νd1p＜７０．０
但し、
ｎd1p：前記第１レンズ群における所定の条件を満足する正レンズのうち最も物体側の正レンズのｄ線の屈折率、
νd1p：前記第１レンズ群における前記最も物体側の正レンズのｄ線のアッベ数、
また、
前記第１レンズ群における前記最も物体側の正レンズの焦点距離をｆ11pとしたとき、前記所定の条件として次式を満足する。
０＜ｆ11p＜５００（ｍｍ）
【発明の詳細な説明】
【技術分野】
【０００１】
本発明は、撮影レンズ、この撮影レンズを備えた光学機器、および撮影レンズの製造方法に関する。
【背景技術】
【０００２】
従来から、写真用カメラ、電子スチルカメラ、ビデオカメラ等に適した撮影レンズが提案されている。焦点距離の長い望遠型の撮影レンズは、大型で重量も大きいため、小型軽量化を図った撮影レンズが種々提案されている（例えば、特許文献１を参照）。
【先行技術文献】
【特許文献】
【０００３】
【特許文献１】特開２０１１−８１０６４号公報
【発明の概要】
【発明が解決しようとする課題】
【０００４】
しかしながら、従来の撮影レンズでは、高い光学性能を維持しつつ小型軽量化を行うことが難しかった。
【０００５】
本発明は、このような問題に鑑みてなされたものであり、小型軽量で優れた光学性能を有した撮影レンズ、光学機器、および撮影レンズの製造方法を提供することを目的とする。
【課題を解決するための手段】
【０００６】
このような目的達成のため、本発明に係る撮影レンズは、光軸に沿って物体側から順に並んだ、正の屈折力を有する第１レンズ群と、負の屈折力を有する第２レンズ群と、第３レンズ群とを有し、無限遠物体から有限距離物体への合焦の際、前記第２レンズ群が光軸に沿って移動するように構成された撮影レンズであって、以下の条件式を満足している。
【０００７】
ｎd1p＞１．５０
νd1p＜７０．０
但し、
ｎd1p：前記第１レンズ群における所定の条件を満足する正レンズのうち最も物体側の正レンズのｄ線の屈折率、
νd1p：前記第１レンズ群における前記最も物体側の正レンズのｄ線のアッベ数、
また、
前記第１レンズ群における前記最も物体側の正レンズの焦点距離をｆ11pとしたとき、前記所定の条件として次式を満足する。
０＜ｆ11p＜５００（ｍｍ）
【０００８】
なお、上述の撮影レンズにおいて、以下の条件式を満足することが好ましい。
【０００９】
０．５０＜ｆ11p／ｆ＜２．００
但し、
ｆ：前記撮影レンズの焦点距離、
ｆ11p：前記第１レンズ群における前記最も物体側の正レンズの焦点距離。
【００１０】
また、上述の撮影レンズにおいて、前記第３レンズ群のうち少なくとも１枚のレンズは、光軸と垂直な方向の成分を有するように移動可能に設けられていることが好ましい。
【００１１】
また、上述の撮影レンズにおいて、前記第１レンズ群は、光軸に沿って物体側から順に並んだ、前群と、前記前群に対し前記第１レンズ群の中で最も長い空気間隔を隔てた後群とからなり、前記前群は、光軸に沿って物体側から順に並んだ、２枚の正レンズと、１枚の負レンズとを有することが好ましい。
【００１２】
また、上述の撮影レンズにおいて、前記第１レンズ群は、光軸に沿って物体側から順に並んだ、前群と、前記前群に対し前記第１レンズ群の中で最も長い空気間隔を隔てた後群とからなり、前記後群は、物体側から順に負レンズと正レンズとが貼り合わされた接合レンズを有することが好ましい。
【００１３】
また、上述の撮影レンズにおいて、前記第１レンズ群は、光軸に沿って物体側から順に並んだ、前群と、前記前群に対し前記第１レンズ群の中で最も長い空気間隔を隔てた後群とからなり、以下の条件式を満足することが好ましい。
【００１４】
Ｄ1ab／Ｄ1＞０．３０
但し、
Ｄ1：前記第１レンズ群の長さ、
Ｄ1ab：前記前群と前記後群との空気間隔。
【００１５】
また、本発明に係る光学機器は、物体の像を所定の面上に結像させる撮影レンズを備えた光学機器であって、前記撮影レンズとして本発明に係る撮影レンズを用いている。
【００１６】
また、本発明に係る撮影レンズの製造方法は、光軸に沿って物体側から順に、正の屈折力を有する第１レンズ群と、負の屈折力を有する第２レンズ群と、第３レンズ群とを配置する撮影レンズの製造方法であって、無限遠物体から有限距離物体への合焦の際、前記第２レンズ群が光軸に沿って移動し、以下の条件式を満足するようにしている。
【００１７】
ｎd1p＞１．５０
νd1p＜７０．０
但し、
ｎd1p：前記第１レンズ群における所定の条件を満足する正レンズのうち最も物体側の正レンズのｄ線の屈折率、
νd1p：前記第１レンズ群における前記最も物体側の正レンズのｄ線のアッベ数、
また、
前記第１レンズ群における前記最も物体側の正レンズの焦点距離をｆ11pとしたとき、前記所定の条件として次式を満足する。
０＜ｆ11p＜５００（ｍｍ）
【発明の効果】
【００１８】
本発明によれば、小型軽量で優れた光学性能を得ることができる。
【図面の簡単な説明】
【００１９】
【図１】第１実施例に係る撮影レンズの無限遠合焦状態におけるレンズ構成図である。
【図２】（ａ）は第１実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図３】第２実施例に係る撮影レンズの無限遠合焦状態におけるレンズ構成図である。
【図４】（ａ）は第２実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図５】第３実施例に係る撮影レンズの無限遠合焦状態におけるレンズ構成図である。
【図６】（ａ）は第３実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図７】第４実施例に係る撮影レンズの無限遠合焦状態におけるレンズ構成図である。
【図８】（ａ）は第４実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図９】第５実施例に係る撮影レンズの無限遠合焦状態におけるレンズ構成図である。
【図１０】（ａ）は第５実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図１１】第６実施例に係る撮影レンズの無限遠合焦状態におけるレンズ構成図である。
【図１２】（ａ）は第６実施例に係る撮影レンズの無限遠合焦状態における諸収差図であり、（ｂ）は撮影レンズの中間距離合焦状態における諸収差図であり、（ｃ）は撮影レンズの近距離合焦状態における諸収差図である。
【図１３】デジタル一眼レフカメラの断面図である。
【図１４】撮影レンズの製造方法を示すフローチャートである。
【発明を実施するための形態】
【００２０】
以下、本願の好ましい実施形態について図を参照しながら説明する。本願に係る撮影レンズＭＬを備えたデジタル一眼レフカメラＣＡＭが図１３に示されている。図１３に示すデジタル一眼レフカメラＣＡＭにおいて、不図示の物体（被写体）からの光は、撮影レンズＭＬで集光されて、クイックリターンミラーＭを介して焦点板Ｆ上に結像される。焦点板Ｆ上に結像された光は、ペンタプリズムＰ中で複数回反射されて接眼レンズＥへと導かれる。これにより、撮影者は、接眼レンズＥを介して物体（被写体）の像を正立像として観察することができる。
【００２１】
また、撮影者によって不図示のレリーズボタンが押されると、クイックリターンミラーＭが光路外へ退避し、撮影レンズＭＬで集光された物体（被写体）からの光は、撮像素子Ｃ上に結像されて被写体の像を形成する。これにより、物体（被写体）からの光は、撮像素子Ｃ上に結像されて当該撮像素子Ｃにより撮像され、物体（被写体）の画像として不図示のメモリーに記録される。このようにして、撮影者はデジタル一眼レフカメラＣＡＭによる物体（被写体）の撮影を行うことができる。なお、クイックリターンミラーＭを有しないカメラであっても、上記カメラＣＡＭと同様の効果を得ることができる。また、図１３に示すデジタル一眼レフカメラＣＡＭは、撮影レンズＭＬを着脱可能に保持する構成であってもよく、撮影レンズＭＬと一体に構成されるものであってもよい。
【００２２】
撮影レンズＭＬは、例えば図１に示すように、光軸に沿って物体側から順に並んだ、正の屈折力を有する第１レンズ群Ｇ１と、負の屈折力を有する第２レンズ群Ｇ２と、正または負の屈折力を有する第３レンズ群Ｇ３とを有している。また、無限遠物体から近距離（有限距離）物体への合焦の際、第２レンズ群Ｇ２が光軸に沿って像側に移動するようになっている。この構成により、近距離合焦時の球面収差の変動を容易に補正することが可能となる。
【００２３】
このような構成の撮影レンズＭＬにおいて、高い光学性能を維持しつつ小型軽量化を図るため、次の条件式（１）〜（２）で表される条件を満足することが好ましい。
【００２４】
ｎd1p＞１．５０    …（１）
νd1p＜７０．０    …（２）
但し、
ｎd1p：第１レンズ群Ｇ１における所定の条件を満足する正レンズのうち最も物体側の正レンズのｄ線の屈折率、
νd1p：第１レンズ群Ｇ１における前記最も物体側の正レンズのｄ線のアッベ数、
また、
第１レンズ群Ｇ１における前記最も物体側の正レンズの焦点距離をｆ11pとしたとき、所定の条件として次式（Ａ）を満足する。
０＜ｆ11p＜５００（ｍｍ）    …（Ａ）
【００２５】
条件式（１）〜（２）は、第１レンズ群Ｇ１において式（Ａ）を満足する最も物体側の正レンズの屈折率とアッベ数を規定する式である。条件式（１）の下限値を下回る条件、または、条件式（２）の上限値を上回る条件である場合、球面収差がアンダー側に大きく膨らむため、これより像側のレンズで球面収差を補正しなければならなくなる。また、条件式（１）〜（２）を外れた硝材は、比重の大きい異常分散ガラスか蛍石となるため、重量が増加する。また、異常分散ガラスおよび蛍石は軟らかい硝材であるため、レンズを保護するための保護ガラスが必要となり、さらに重量が増加する。
【００２６】
なお、本実施形態の効果をより確実なものとするために、条件式（１）の下限値を１．５１とすることが望ましい。また、本実施形態の効果をより確実なものとするために、条件式（２）の上限値を６９．０とすることが望ましい。
【００２７】
また、このような撮影レンズＭＬにおいて、次の条件式（３）で表される条件を満足することが好ましい。
【００２８】
０．５０＜ｆ11p／ｆ＜２．００    …（３）
但し、
ｆ：撮影レンズＭＬの焦点距離、
ｆ11p：第１レンズ群ＭＬにおける前記最も物体側の正レンズの焦点距離。
【００２９】
条件式（３）は、第１レンズ群Ｇ１において式（Ａ）を満足する最も物体側の正レンズの焦点距離を規定する式である。条件式（３）の上限値を上回る条件である場合、第１レンズ群Ｇ１の屈折力が強くなり、球面収差や倍率色収差等の諸収差の合焦時の変動が大きくなるため、光学性能が低下して好ましくない。また、撮影レンズＭＬの全長が大きくなり、軸上色収差の補正も弱くなるため、好ましくない。一方、条件式（３）の下限値を下回る条件である場合、撮影レンズＭＬの全長が大きくなり、第２レンズ群Ｇ２の合焦時の移動量が大きくなるため、好ましくない。また、各レンズ群の屈折力が強くなり、球面収差等の諸収差の合焦時の変動が大きくなるため、好ましくない。
【００３０】
なお、本実施形態の効果をより確実なものとするために、条件式（３）の上限値を１．８０とすることが望ましい。また、条件式（３）の上限値を１．７０とすることがより望ましい。一方、本実施形態の効果をより確実なものとするために、条件式（３）の下限値を０．６０とすることが望ましい。また、条件式（３）の下限値を０．７０とすることがより望ましい。
【００３１】
また、このような撮影レンズＭＬにおいて、第３レンズ群Ｇ３のうち少なくとも１枚のレンズは、光軸と垂直な方向の成分を有するように移動可能に設けられていることが好ましい。これにより、小径のレンズ群を用いて、手ブレなどで振動した場合の光軸のずれを補正することができ、手ブレ補正機構の小型軽量化と、鏡筒の小型化とを図ることが可能となる。
【００３２】
また、このような撮影レンズＭＬにおいて、第１レンズ群Ｇ１は、光軸に沿って物体側から順に並んだ、前群Ｇ１ａと、この前群Ｇ１ａに対し第１レンズ群Ｇ１の中で最も長い空気間隔を隔てた後群Ｇ１ｂとからなり、前群Ｇ１ａは、光軸に沿って物体側から順に並んだ、２枚の正レンズと、１枚の負レンズとを有することが好ましい。これにより、小型軽量化を達成しつつ色収差や球面収差を良好に補正することができる。
【００３３】
また、このような撮影レンズＭＬにおいて、第１レンズ群Ｇ１は、光軸に沿って物体側から順に並んだ、前群Ｇ１ａと、この前群Ｇ１ａに対し第１レンズ群Ｇ１の中で最も長い空気間隔を隔てた後群Ｇ１ｂとからなり、後群Ｇ１ｂは、物体側から順に負レンズと正レンズとが貼り合わされた接合レンズを有することが好ましい。これにより、コマ収差や近距離合焦時の球面収差を良好に補正することができる。
【００３４】
また、このような撮影レンズＭＬにおいて、第１レンズ群Ｇ１は、光軸に沿って物体側から順に並んだ、前群Ｇ１ａと、この前群Ｇ１ａに対し第１レンズ群Ｇ１の中で最も長い空気間隔を隔てた後群Ｇ１ｂとからなり、次の条件式（４）で表される条件を満足することが好ましい。
【００３５】
Ｄ1ab／Ｄ1＞０．３０    …（４）
但し、
Ｄ1：第１レンズ群Ｇ１の長さ、
Ｄ1ab：前群Ｇ１ａと後群Ｇ１ｂとの空気間隔。
【００３６】
条件式（４）は、第１レンズ群Ｇ１の長さＤ1と、前群Ｇ１ａと後群Ｇ１ｂとの空気間隔Ｄ1abの比を規定する式である。条件式（４）の下限値を下回る条件である場合、後群Ｇ１ｂが大型化し、重量が増加する。軽量化のために、例えば後群Ｇ１ｂの負レンズに使われているガラスを比重の軽いものに変更すると、屈折率が小さくなるので、結果として像面湾曲収差の補正が困難となる。
【００３７】
なお、本実施形態の効果をより確実なものとするために、条件式（４）の下限値を０．３５とすることが望ましい。また、条件式（４）の下限値を０．４０とすることがより望ましい。また、条件式（４）の下限値を０．４５とすることがより望ましい。
【００３８】
このように、本実施形態によれば、小型軽量で優れた光学性能を有した撮影レンズＭＬおよび、これを備えた光学機器（デジタル一眼レフカメラＣＡＭ）を得ることが可能になる。
【００３９】
ここで、上述のような構成の撮影レンズＭＬの製造方法について、図１４を参照しながら説明する。まず、円筒状の鏡筒内に、物体側から順に、正の屈折力を有する第１レンズ群Ｇ１と、負の屈折力を有する第２レンズ群Ｇ２と、正または負の屈折力を有する第３レンズ群Ｇ３とを組み込む（ステップＳＴ１０）。そして、第２レンズ群Ｇ２を光軸に沿って移動させることにより、無限遠物体から有限距離物体へのフォーカシングが行われるように、第２レンズ群Ｇ２を駆動可能に構成する（ステップＳＴ２０）。
【００４０】
レンズの組み込みを行うステップＳＴ１０において、前述の条件式（１）〜（２）等を満足するように、第１レンズ群Ｇ１、第２レンズ群Ｇ２、および第３レンズ群Ｇ３を配置する。このような製造方法によれば、小型軽量で優れた光学性能を有した撮影レンズＭＬを得ることができる。
【実施例】
【００４１】
（第１実施例）
以下、本願の各実施例を添付図面に基づいて説明する。まず、本願の第１実施例について図１〜図２および表１を用いて説明する。図１は、第１実施例に係る撮影レンズＭＬ（ＭＬ１）の無限遠合焦状態におけるレンズ構成図である。第１実施例に係る撮影レンズＭＬ１は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００４２】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と両凹形状の第１負レンズＬ１３とが貼り合わされた接合レンズから構成される。第１レンズ群Ｇ１の後群Ｇ１ｂは、物体側から順に、凸面を向けたメニスカス形状の第３正レンズＬ１４と、物体側に凸面を向けたメニスカス形状の第２負レンズＬ１５と物体側に凸面を向けたメニスカス形状の第４正レンズＬ１６とが貼り合わされた接合レンズとから構成される。
【００４３】
第２レンズ群Ｇ２は、物体側から順に、両凸形状の第１正レンズＬ２１と両凹形状の第１負レンズＬ２２とが貼り合わされた接合レンズと、物体側に凹面を向けたメニスカス形状の第２正レンズＬ２３と両凹形状の第２負レンズＬ２４とが貼り合わされた接合レンズとから構成される。
【００４４】
第３レンズ群Ｇ３は、物体側から順に、両凸形状の第１正レンズＬ３１と、物体側に凹面を向けたメニスカス形状の負レンズＬ３２と、物体側に凹面を向けたメニスカス形状の第２正レンズＬ３３とから構成される。また、第３レンズ群Ｇ３における第１正レンズＬ３１と、負レンズＬ３２と、第２正レンズＬ３３とを光軸とほぼ垂直な方向に適宜移動させることで、光学系の振動等に起因する像位置の変動が補正されるようになっている。
【００４５】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００４６】
以下に、表１〜表６を示すが、これらは第１〜第６実施例に係る撮影レンズの諸元の値をそれぞれ掲げた表である。各表の［諸元データ］において、ｆは撮影レンズ全系の焦点距離を、ＦＮＯはＦナンバーを、ωは半画角（最大入射角：単位は「°」）を、Ｙは半画角に対する像高を、ＴＬはレンズ全長（空気換算長）をそれぞれ示す。［レンズデータ］において、面番号は物体側から数えた各レンズ面の番号を、Ｒは各レンズ面の曲率半径を、Ｄは各レンズ面の間隔を、νｄはｄ線（波長λ＝５８７．６ｎｍ）に対するアッベ数を、ｎｄはｄ線（波長λ＝５８７．６ｎｍ）に対する屈折率を、θｇはｄ線の主分散に対するｇ線の部分分散比をそれぞれ示す。また、［レンズデータ］において、ｄ１およびｄ２は可変面間隔を、ＢＦはバックフォーカスをそれぞれ示す。
【００４７】
なお、曲率半径「0.0000」は平面を示し、空気の屈折率ｎｄ＝1.0000はその記載を省略している。また、ｄ線の主分散に対するｇ線の部分分散比θｇは、ｄ線（波長λ＝５８７．６ｎｍ）の屈折率をｎｄとし、ｇ線（波長λ＝４３５．８ｎｍ）の屈折率をｎｇとし、Ｆ線（波長λ＝４８６．１ｎｍ）の屈折率をｎＦとし、Ｃ線（波長λ＝６５６．３ｎｍ）の屈折率をｎＣとしたとき、次式（Ｅ）のように定義される。
【００４８】
θｇ＝（ｎｇ−ｎｄ）／（ｎＦ−ｎＣ）    …（Ｅ）
【００４９】
［可変間隔データ］において、ｆは撮影レンズ全系の焦点距離を、βは撮影倍率をそれぞれ示す。また、［可変間隔データ］には、各焦点距離および撮影倍率に対応する、物体から第１レンズ面までの距離Ｄ０の値と、各可変面間隔ｄ１，ｄ２の値と、バックフォーカス（空気換算長）ＢＦの値を示す。［条件式対応値］には、各条件式の対応値をそれぞれ示す。
【００５０】
なお、以下の全ての諸元値において掲載されている焦点距離ｆ、曲率半径Ｒ、その他の長さの単位は一般に「ｍｍ」が使われるが、光学系は、比例拡大または比例縮小しても同等の光学性能が得られるので、これに限られるものではない。また、後述の第２〜第６実施例の諸元値においても、本実施例と同様の符号を用いる。
【００５１】
下の表１に、第１実施例における各諸元を示す。なお、表１における第１面〜第２５面の曲率半径Ｒは、図１における第１面〜第２５面に付した符号Ｒ１〜Ｒ２５に対応している。
【００５２】
（表１）
［諸元データ］
ｆ＝196.00
ＦＮＯ＝2.03
２ω＝12.588
Ｙ＝21.63
ＴＬ＝246.283
［レンズデータ］
面番号      Ｒ            Ｄ          ｎｄ        νｄ        θｇ
1       264.9144      9.0000      1.6968      55.52      1.2381
2     -1984.2990      1.0000
3        96.9914     19.0000      1.4338      95.25      1.2349
4      -538.0112      5.0000      1.7432      49.26      1.2509
5       148.9850     32.2067
6        75.0166     13.0000      1.4338      95.25      1.2349
7       508.6973      0.3000
8        80.5531      4.0000      1.7432      49.26      1.2509
9        39.6628     19.0000      1.4978      82.57      1.2333
10      574.6603      d1
11      820.2671      5.0000      1.9036      31.27      1.3038
12     -101.9783      3.0000      1.6400      60.20      1.2310
13       58.4930      6.5000
14      -70.6207      4.2000      1.8040      46.60      1.2575
15      -41.8205      2.8000      1.5168      64.01      1.2286
16       49.6876      d2
17        0.0000      3.2000                                  （開口絞り）
18      110.9160      5.0000      1.7291      54.61      1.2399
19      -88.6182      2.8000
20      -43.1109      3.4000      1.7950      28.48      1.3192
21     -108.8687      7.0000
22     -827.0713      5.3000      1.6180      63.34      1.2361
23      -52.9313      5.3151
24        0.0000      2.0000      1.5168      64.12      1.2282
25        0.0000      BF
［可変間隔データ］
無限遠合焦状態    中間距離合焦状態    近距離合焦状態
ｆ＝196.00        β＝-0.0333        β＝-0.1288
D0          ∞            5976.579          1604.21
d1        15.178            17.627            24.729
d2        15.525            13.076             5.974
BF        57.558            57.558            57.558
［条件式対応値］
式（Ａ）  ｆ11p＝336.0（ｍｍ）
条件式（１）  ｎd1p＝1.70
条件式（２）  νd1p＝55.52
条件式（３）  ｆ11p／ｆ＝1.714
条件式（４）  Ｄ1ab／Ｄ1＝0.320
【００５３】
このように本実施例では、上記条件式（１）〜（４）が全て満たされていることが分かる。
【００５４】
図２（ａ）は、第１実施例に係る撮影レンズＭＬ１の無限遠合焦状態における諸収差図であり、図２（ｂ）は、撮影レンズＭＬ１の中間距離合焦状態における諸収差図であり、図２（ｃ）は、撮影レンズＭＬ１の近距離合焦状態における諸収差図である。各収差図において、ＦＮＯはＦナンバーを、Ｙは半画角に対する像高をそれぞれ示す。また、各収差図において、ｄはｄ線（λ＝５８７．６ｎｍ）、ｇはｇ線（λ＝４３５．８ｎｍ）、ＣはＣ線（波長λ＝６５６．３ｎｍ）、ＦはＦ線（波長λ＝４８６．１ｎｍ）における収差をそれぞれ示す。また、非点収差を示す収差図において、実線はサジタル像面を示し、破線はメリディオナル像面を示している。以上、収差図の説明は他の実施例においても同様である。
【００５５】
そして、各収差図より、第１実施例では、諸収差が良好に補正され、優れた結像性能を有していることがわかる。その結果、第１実施例の撮影レンズＭＬ１を搭載することにより、デジタル一眼レフカメラＣＡＭにおいても、優れた光学性能を確保することができる。
【００５６】
（第２実施例）
以下、本願の第２実施例について図３〜図４および表２を用いて説明する。図３は、第２実施例に係る撮影レンズＭＬ（ＭＬ２）の無限遠合焦状態におけるレンズ構成図である。第２実施例の撮影レンズＭＬ２は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００５７】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と両凹形状の第１負レンズＬ１３とが貼り合わされた接合レンズとから構成される。第１レンズ群Ｇ１の後群Ｇ１ｂは、物体側から順に、物体側に凸面を向けたメニスカス形状の第２負レンズＬ１４と両凸形状の第３正レンズＬ１５とが貼り合わされた接合レンズから構成される。
【００５８】
第２レンズ群Ｇ２は、物体側から順に、両凹形状の第１負レンズＬ２１と、物体側に凹面を向けたメニスカス形状の正レンズＬ２２と両凹形状の第２負レンズＬ２３とが貼り合わされた接合レンズとから構成される。
【００５９】
第３レンズ群Ｇ３は、物体側から順に、両凸形状の第１正レンズＬ３１と、物体側に凹面を向けたメニスカス形状の負レンズＬ３２と、物体側に凹面を向けたメニスカス形状の第２正レンズＬ３３とから構成される。また、第３レンズ群Ｇ３における第１正レンズＬ３１と、負レンズＬ３２と、第２正レンズＬ３３とを光軸とほぼ垂直な方向に適宜移動させることで、光学系の振動等に起因する像位置の変動が補正されるようになっている。
【００６０】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００６１】
下の表２に、第２実施例における各諸元を示す。なお、表２における第１面〜第２３面の曲率半径Ｒは、図３における第１面〜第２３面に付した符号Ｒ１〜Ｒ２３に対応している。また、第２１面は仮想面であるが、この面にフレアカット絞りが配置されてもよい。
【００６２】
（表２）
［諸元データ］
ｆ＝293.80
ＦＮＯ＝2.88
２ω＝8.343
Ｙ＝21.60
ＴＬ＝301.751
［レンズデータ］
面番号      Ｒ            Ｄ          ｎｄ        νｄ        θｇ
1       153.6951     13.5000      1.5168      63.88      1.2288
2      -569.6869      0.2000
3       143.9872     15.5000      1.4338      95.25      1.2349
4      -312.9467      5.0000      1.8040      46.57      1.2568
5       297.3868     46.3000
6        81.7721      3.5000      1.7439      44.79      1.2651
7        53.8124     15.9000      1.4338      95.25      1.2349
8      -567.2786      d1
9      -139.8457      2.7000      1.5168      63.88      1.2288
10       55.6647      5.2000
11     -148.9189      6.8000      1.8038      33.89      1.2980
12      -37.3669      2.8000      1.5891      61.22      1.2346
13      130.1248      d2
14        0.0000      1.7000                                  （開口絞り）
15      477.2248      5.1000      1.5186      69.89      1.2233
16      -85.4620      3.0570
17      -42.9430      2.5000      1.7950      28.56      1.3106
18      -69.0999      9.1000
19     -714.7960      4.7000      1.5186      69.89      1.2233
20      -55.6550     14.5000
21        0.0000     16.1000
22        0.0000      2.0000      1.5168      64.12      1.2282
23        0.0000      BF
［可変間隔データ］
無限遠合焦状態    中間距離合焦状態    近距離合焦状態
ｆ＝293.80        β＝-0.0333        β＝-0.1658
D0          ∞            8925.994          1883.838
d1        32.151            34.704            44.872
d2        15.595            13.043             2.875
BF        77.847            77.847            77.847
［条件式対応値］
式（Ａ）  ｆ11p＝235.71（ｍｍ）
条件式（１）  ｎd1p＝1.52
条件式（２）  νd1p＝63.88
条件式（３）  ｆ11p／ｆ＝0.802
条件式（４）  Ｄ1ab／Ｄ1＝0.463
【００６３】
このように本実施例では、上記条件式（１）〜（４）が全て満たされていることが分かる。
【００６４】
図４（ａ）は、第２実施例に係る撮影レンズＭＬ２の無限遠合焦状態における諸収差図であり、図４（ｂ）は、撮影レンズＭＬ２の中間距離合焦状態における諸収差図であり、図４（ｃ）は、撮影レンズＭＬ２の近距離合焦状態における諸収差図である。各収差図より、第２実施例では、諸収差が良好に補正され、優れた結像性能を有していることがわかる。その結果、第２実施例の撮影レンズＭＬ２を搭載することにより、デジタル一眼レフカメラＣＡＭにおいても、優れた光学性能を確保することができる。
【００６５】
（第３実施例）
以下、本願の第３実施例について図５〜図６および表３を用いて説明する。図５は、第３実施例に係る撮影レンズＭＬ（ＭＬ３）の無限遠合焦状態におけるレンズ構成図である。第３実施例の撮影レンズＭＬ３は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００６６】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第３正レンズＬ１４と、物体側に凸面を向けたメニスカス形状の第２負レンズＬ１５とから構成される。
【００６７】
第２レンズ群Ｇ２は、物体側から順に、両凸形状の正レンズＬ２１と両凹形状の負レンズＬ２２とが貼り合わされた接合レンズから構成される。
【００６８】
第３レンズ群Ｇ３は、物体側から順に、両凸形状の第１正レンズＬ３１と物体側に凹面を向けたメニスカス形状の第１負レンズＬ３２とが貼り合わされた接合レンズと、両凸形状の第２正レンズＬ３３と両凹形状の第２負レンズＬ３４とが貼り合わされた接合レンズと、両凹形状の第３負レンズＬ３５と、両凸形状の第３正レンズＬ３６と、両凸形状の第４正レンズＬ３７と両凹形状の第４負レンズＬ３８とが貼り合わされた接合レンズとから構成される。また、第３レンズ群Ｇ３のうち、第２正レンズＬ３３および第２負レンズＬ３４と、第３負レンズＬ３５とを光軸とほぼ垂直な方向に適宜移動させることで、光学系の振動等に起因する像位置の変動が補正されるようになっている。
【００６９】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００７０】
下の表３に、第３実施例における各諸元を示す。なお、表３における第１面〜第２９面の曲率半径Ｒは、図５における第１面〜第２９面に付した符号Ｒ１〜Ｒ２９に対応している。
【００７１】
（表３）
［諸元データ］
ｆ＝380.09
ＦＮＯ＝2.84
２ω＝6.322
Ｙ＝21.63
ＴＬ＝358.643
［レンズデータ］
面番号      Ｒ            Ｄ          ｎｄ        νｄ        θｇ
1       310.5004     14.0000      1.6515      58.55      1.2379
2      -845.9742      7.7079
3       135.8844     21.0000      1.4338      95.25      1.2349
4      -721.8821      0.1900
5      -672.9034      4.3000      1.7204      34.71      1.2894
6       225.2401     41.6077
7        91.9930     14.9200      1.4338      95.25      1.2349
8       545.4770      0.2400
9        63.9672      6.0000      1.5163      64.14      1.2278
10       51.4512      d1
11      428.2741      5.7000      1.8080      22.76      1.3465
12     -172.1612      4.3000      1.8340      37.16      1.2824
13      115.2139      d2
14        0.0000     10.0300                                  （開口絞り）
15      270.8067      7.1900      1.7291      54.68      1.2402
16      -73.4919      2.1800      1.8466      23.78      1.3347
17     -265.3502      0.8520
18       87.7936      5.3100      1.8466      23.78      1.3347
19     -149.2731      2.0000      1.6967      55.53      1.2386
20       44.0447      5.3300
21     -176.6976      1.7000      1.8829      40.76      1.2695
22       91.6407      1.6266
23       88.6474      5.5000      1.8340      37.16      1.2824
24     -489.4651      8.3200
25       69.3103      9.0000      1.7494      35.28      1.2940
26      -76.6571      1.8700      1.8080      22.76      1.3465
27      129.6928     11.0500
28        0.0000      2.2000      1.4874      70.23      1.2208
29        0.0000      BF
［可変間隔データ］
無限遠合焦状態    中間距離合焦状態    近距離合焦状態
ｆ＝380.09        β＝-0.0333        β＝-0.1709
D0          ∞            8925.994          2332.331
d1        23.059            27.724            48.535
d2        74.265            69.601            48.789
BF        67.195            67.195            67.195
［条件式対応値］
式（Ａ）  ｆ11p＝350.25（ｍｍ）
条件式（１）  ｎd1p＝1.65
条件式（２）  νd1p＝58.55
条件式（３）  ｆ11p／ｆ＝0.898
条件式（４）  Ｄ1ab／Ｄ1＝0.378
【００７２】
このように本実施例では、上記条件式（１）〜（４）が全て満たされていることが分かる。
【００７３】
図６（ａ）は、第３実施例に係る撮影レンズＭＬ３の無限遠合焦状態における諸収差図であり、図６（ｂ）は、撮影レンズＭＬ３の中間距離合焦状態における諸収差図であり、図６（ｃ）は、撮影レンズＭＬ３の近距離合焦状態における諸収差図である。各収差図より、第３実施例では、諸収差が良好に補正され、優れた結像性能を有していることがわかる。その結果、第３実施例の撮影レンズＭＬ３を搭載することにより、デジタル一眼レフカメラＣＡＭにおいても、優れた光学性能を確保することができる。
【００７４】
（第４実施例）
以下、本願の第４実施例について図７〜図８および表４を用いて説明する。図７は、第４実施例に係る撮影レンズＭＬ（ＭＬ４）の無限遠合焦状態におけるレンズ構成図である。第４実施例の撮影レンズＭＬ４は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００７５】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第２負レンズＬ１４と両凸形状の第３正レンズＬ１５とが貼り合わされた接合レンズから構成される。
【００７６】
第２レンズ群Ｇ２は、物体側から順に、物体側に凸面を向けたメニスカス形状の第１負レンズＬ２１と、物体側に凹面を向けたメニスカス形状の正レンズＬ２２と両凹形状の第２負レンズＬ２３とが貼り合わされた接合レンズとから構成される。
【００７７】
第３レンズ群Ｇ３は、物体側から順に、両凸形状の第１正レンズＬ３１と、物体側に凹面を向けたメニスカス形状の第１負レンズＬ３２と、両凸形状の第２正レンズＬ３３と、物体側に凸面を向けたメニスカス形状の第２負レンズＬ３４と物体側に凸面を向けたメニスカス形状の第３正レンズＬ３５とが貼り合わされた接合レンズとから構成される。また、第３レンズ群Ｇ３のうち、第１正レンズＬ３１と、第１負レンズＬ３２と、第２正レンズＬ３３とを光軸とほぼ垂直な方向に適宜移動させることで、光学系の振動等に起因する像位置の変動が補正されるようになっている。
【００７８】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００７９】
下の表４に、第４実施例における各諸元を示す。なお、表４における第１面〜第２６面の曲率半径Ｒは、図７における第１面〜第２６面に付した符号Ｒ１〜Ｒ２６に対応している。
【００８０】
（表４）
［諸元データ］
ｆ＝391.62
ＦＮＯ＝2.86
２ω＝6.285
Ｙ＝21.63
ＴＬ＝403.937
［レンズデータ］
面番号      Ｒ            Ｄ          ｎｄ        νｄ        θｇ
1       267.6345     18.0000      1.5931      67.90      1.2406
2      -457.9118      0.3979
3       210.1917     21.0000      1.4338      95.25      1.2349
4      -351.8035      2.0063
5      -321.4572      6.5000      1.7950      45.31      1.2601
6       431.9406    144.6878
7        81.8052      4.5000      1.6584      50.84      1.2575
8        51.4627     17.0000      1.4338      95.25      1.2349
9      -358.4342      d1
10     2089.8944      2.7000      1.7880      47.35      1.2552
11       82.2386      6.8000
12     -106.8753      5.5000      1.8466      23.80      1.3360
13      -55.8284      3.0000      1.4874      70.31      1.2193
14       83.7718      d2
15        0.0000      8.0000                                  （開口絞り）
16      150.3339      5.3000      1.6516      58.57      1.2364
17     -126.2845      3.4000
18      -67.2402      1.5000      1.7847      25.68      1.3291
19     -244.6270      6.5000
20      148.2781      4.7000      1.7291      54.61      1.2399
21     -123.5523      0.3154
22       95.2101      2.0000      1.7668      46.78      1.2571
23       37.0911      7.0000      1.6644      35.95      1.2957
24       71.4572      5.0000
25        0.0000      2.0000      1.5168      63.88      1.2288
26        0.0000      BF
［可変間隔データ］
無限遠合焦状態    中間距離合焦状態    近距離合焦状態
ｆ＝391.62        β＝-0.0333        β＝-0.1578
D0          ∞            11824.455          2506.804
d1        12.134            15.480            28.291
d2        22.810            19.464             6.653
BF        93.014            93.014            93.014
［条件式対応値］
式（Ａ）  ｆ11p＝287.4（ｍｍ）
条件式（１）  ｎd1p＝1.59
条件式（２）  νd1p＝67.90
条件式（３）  ｆ11p／ｆ＝0.734
条件式（４）  Ｄ1ab／Ｄ1＝0.676
【００８１】
このように本実施例では、上記条件式（１）〜（４）が全て満たされていることが分かる。
【００８２】
図８（ａ）は、第４実施例に係る撮影レンズＭＬ４の無限遠合焦状態における諸収差図であり、図８（ｂ）は、撮影レンズＭＬ４の中間距離合焦状態における諸収差図であり、図８（ｃ）は、撮影レンズＭＬ４の近距離合焦状態における諸収差図である。各収差図より、第４実施例では、諸収差が良好に補正され、優れた結像性能を有していることがわかる。その結果、第４実施例の撮影レンズＭＬ４を搭載することにより、デジタル一眼レフカメラＣＡＭにおいても、優れた光学性能を確保することができる。
【００８３】
（第５実施例）
以下、本願の第５実施例について図９〜図１０および表５を用いて説明する。図９は、第５実施例に係る撮影レンズＭＬ（ＭＬ５）の無限遠合焦状態におけるレンズ構成図である。第５実施例の撮影レンズＭＬ５は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００８４】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第２負レンズＬ１４と両凸形状の第３正レンズＬ１５とが貼り合わされた接合レンズから構成される。
【００８５】
第２レンズ群Ｇ２は、物体側から順に、物体側に凸面を向けたメニスカス形状の第１負レンズＬ２１と、物体側に凹面を向けたメニスカス形状の正レンズＬ２２と物体側に凹面を向けたメニスカス形状の第２負レンズＬ２３とが貼り合わされた接合レンズとから構成される。
【００８６】
第３レンズ群Ｇ３は、物体側から順に、物体側に凹面を向けたメニスカス形状の第１正レンズＬ３１と、物体側に凹面を向けたメニスカス形状の第１負レンズＬ３２と、両凸形状の第２正レンズＬ３３と、物体側に凸面を向けたメニスカス形状の第２負レンズＬ３４と物体側に凸面を向けたメニスカス形状の第３正レンズＬ３５とが貼り合わされた接合レンズと、物体側に凸面を向けたメニスカス形状の第３負レンズＬ３６とから構成される。また、第３レンズ群Ｇ３のうち、第１正レンズＬ３１と、第１負レンズＬ３２と、第２正レンズＬ３３とを光軸とほぼ垂直な方向に適宜移動させることで、光学系の振動等に起因する像位置の変動が補正されるようになっている。
【００８７】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００８８】
下の表５に、第５実施例における各諸元を示す。なお、表５における第１面〜第２９面の曲率半径Ｒは、図９における第１面〜第２９面に付した符号Ｒ１〜Ｒ２９に対応している。また、第２２面は仮想面であるが、この面にフレアカット絞りが配置されてもよい。
【００８９】
（表５）
［諸元データ］
ｆ＝490.01
ＦＮＯ＝4.02
２ω＝5.016
Ｙ＝21.63
ＴＬ＝449.402
［レンズデータ］
面番号      Ｒ            Ｄ          ｎｄ        νｄ        θｇ
1       324.0525     13.0000      1.5931      67.90      1.2406
2      -581.0651     25.0000
3       193.8321     18.0000      1.4338      95.25      1.2349
4      -295.3369      2.8000
5      -276.9097      5.0000      1.7880      47.37      1.2551
6       496.2672    109.8408
7       140.6048      4.1000      1.6778      50.72      1.2550
8        72.9918     14.0000      1.4978      82.57      1.2333
9      -320.9954      d1
10     1796.1227      3.0000      1.8340      37.17      1.2825
11       67.9634      5.0000
12     -110.3086      5.6000      1.8466      23.80      1.3360
13      -44.2350      3.0000      1.6968      55.52      1.2381
14    -30963.384      d2
15        0.0000      7.0000                                  （開口絞り）
16    -1188.6537      6.1800      1.4874      70.31      1.2193
17      -51.2017      1.0000
18      -51.6625      1.8000      1.8466      23.80      1.3360
19     -107.9360      7.8600
20      136.7722      3.8300      1.801      34.92      1.2917
21     -347.0130     13.2209
22        0.0000     15.0000
23      149.1110      2.5000      1.8010      34.92      1.2917
24       74.2003      5.3400      1.5927      35.27      1.3012
25     1359.6589      0.3000
26      138.5209      2.5000      1.4874      70.31      1.2193
27       60.3387     25.0000
28        0.0000      2.0000      1.5168      63.88      1.2288
29        0.0000      BF
［可変間隔データ］
無限遠合焦状態    中間距離合焦状態    近距離合焦状態
ｆ＝490.01        β＝-0.0333        β＝-0.1427
D0          ∞            14905.373          3572.677
d1        41.782            45.037            55.797
d2        21.417            18.162             7.403
BF        84.331            84.331            84.331
［条件式対応値］
式（Ａ）  ｆ11p＝352.6（ｍｍ）
条件式（１）  ｎd1p＝1.59
条件式（２）  νd1p＝67.90
条件式（３）  ｆ11p／ｆ＝0.720
条件式（４）  Ｄ1ab／Ｄ1＝0.573
【００９０】
このように本実施例では、上記条件式（１）〜（４）が全て満たされていることが分かる。
【００９１】
図１０（ａ）は、第５実施例に係る撮影レンズＭＬ５の無限遠合焦状態における諸収差図であり、図１０（ｂ）は、撮影レンズＭＬ５の中間距離合焦状態における諸収差図であり、図１０（ｃ）は、撮影レンズＭＬ５の近距離合焦状態における諸収差図である。各収差図より、第５実施例では、諸収差が良好に補正され、優れた結像性能を有していることがわかる。その結果、第５実施例の撮影レンズＭＬ５を搭載することにより、デジタル一眼レフカメラＣＡＭにおいても、優れた光学性能を確保することができる。
【００９２】
（第６実施例）
以下、本願の第６実施例について図１１〜図１２および表６を用いて説明する。図１１は、第６実施例に係る撮影レンズＭＬ（ＭＬ６）の無限遠合焦状態におけるレンズ構成図である。第６実施例の撮影レンズＭＬ６は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００９３】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第３正レンズＬ１４と、物体側に凸面を向けたメニスカス形状の第２負レンズＬ１５とから構成される。
【００９４】
第２レンズ群Ｇ２は、物体側から順に、両凸形状の正レンズＬ２１と両凹形状の負レンズＬ２２とが貼り合わされた接合レンズから構成される。
【００９５】
第３レンズ群Ｇ３は、物体側から順に、物体側に凸面を向けたメニスカス形状の第１負レンズＬ３１と両凸形状の第１正レンズＬ３２とが貼り合わされた接合レンズと、両凸形状の第２正レンズＬ３３と両凹形状の第２負レンズＬ３４とが貼り合わされた接合レンズと、両凹形状の第３負レンズＬ３５と、物体側に凸面を向けたメニスカス形状の第３正レンズＬ３６と、両凸形状の第４正レンズＬ３７と物体側に凹面を向けたメニスカス形状の第４負レンズＬ３８とが貼り合わされた接合レンズとから構成される。また、第３レンズ群Ｇ３のうち、第２正レンズＬ３３および第２負レンズＬ３４と、第３負レンズＬ３５とを光軸とほぼ垂直な方向に適宜移動させることで、光学系の振動等に起因する像位置の変動が補正されるようになっている。
【００９６】
なお、第３レンズ群Ｇ３と像面Ｉとの間には、抜き差し交換可能な光学フィルターＦＬが配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００９７】
下の表６に、第６実施例における各諸元を示す。なお、表６における第１面〜第２９面の曲率半径Ｒは、図１１における第１面〜第２９面に付した符号Ｒ１〜Ｒ２９に対応している。
【００９８】
（表６）
［諸元データ］
ｆ＝585.23
ＦＮＯ＝4.04
２ω＝4.208
Ｙ＝21.63
ＴＬ＝464.871
［レンズデータ］
面番号      Ｒ            Ｄ          ｎｄ        νｄ        θｇ
1       400.0000     15.5000      1.5931      67.90      1.2406
2      -530.0000      4.1586
3       205.1647     20.0000      1.4338      95.25      1.2349
4      -797.5241      2.5362
5      -579.4471      4.6000      1.6730      38.15      1.2795
6       359.1329     74.2473
7        83.6350     15.5000      1.4338      95.25      1.2349
8       201.8138      0.5000
9        94.1437      5.0372      1.5163      64.14      1.2278
10       63.6929      d1
11      473.0256      6.0000      1.7618      26.52      1.3262
12     -225.6262      3.0000      1.8829      40.76      1.2695
13      184.4564      d2
14        0.0000      1.9688                                  （開口絞り）
15      118.3081      2.0000      1.8009      34.97      1.2928
16       54.5025      8.0000      1.5638      60.67      1.2348
17     -197.9859     17.9245
18       72.2257      5.0000      1.8466      23.80      1.3360
19     -136.1729      2.0000      1.8040      46.57      1.2568
20       42.0947      4.3000
21     -114.5774      1.8703      1.8160      46.59      1.2564
22      117.7595      4.4730
23       86.2759      4.0000      1.7204      34.71      1.2894
24     2767.6156     11.0000
25      153.6576      7.0000      1.7620      40.10      1.2809
26      -49.8630      2.0000      1.8080      22.76      1.3465
27    -1328.2370     11.8126
28        0.0000      2.0741      1.5168      63.88      1.2288
29        0.0000      BF
［可変間隔データ］
無限遠合焦状態    中間距離合焦状態    近距離合焦状態
ｆ＝585.23        β＝-0.0333        β＝-0.148
D0          ∞            17625.002          4021.49
d1        40.515            47.634            74.166
d2       102.933            95.814            69.282
BF        84.921            84.921            84.921
［条件式対応値］
式（Ａ）  ｆ11p＝386.7（ｍｍ）
条件式（１）  ｎd1p＝1.59
条件式（２）  νd1p＝67.90
条件式（３）  ｆ11p／ｆ＝0.661
条件式（４）  Ｄ1ab／Ｄ1＝0.523
【００９９】
このように本実施例では、上記条件式（１）〜（４）が全て満たされていることが分かる。
【０１００】
図１２（ａ）は、第６実施例に係る撮影レンズＭＬ６の無限遠合焦状態における諸収差図であり、図１２（ｂ）は、撮影レンズＭＬ６の中間距離合焦状態における諸収差図であり、図１２（ｃ）は、撮影レンズＭＬ６の近距離合焦状態における諸収差図である。各収差図より、第６実施例では、諸収差が良好に補正され、優れた結像性能を有していることがわかる。その結果、第６実施例の撮影レンズＭＬ６を搭載することにより、デジタル一眼レフカメラＣＡＭにおいても、優れた光学性能を確保することができる。
【０１０１】
以上、各実施例によれば、焦点距離が長く大口径比でＦナンバーの明るい光学系において、無限遠から近距離物点まで優れた光学性能を維持しつつ、広範囲な撮影領域に対応し得る撮影レンズＭＬおよび光学機器（デジタル一眼レフカメラＣＡＭ）を実現することができる。
【０１０２】
なお、上述の実施形態において、以下に記載の内容は、光学性能を損なわない範囲で適宜採用可能である。
【０１０３】
上述の各実施例において、３群構成を示したが、４群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分を示す。
【０１０４】
また、単独または複数のレンズ群、または部分レンズ群を光軸方向に移動させて、無限遠物体から近距離物体への合焦を行う合焦レンズ群としてもよい。この合焦レンズ群は、オートフォーカスにも適用することができ、オートフォーカス用の（超音波モーター等を用いた）モーター駆動にも適している。特に、第２レンズ群を合焦レンズ群とするのが好ましい。
【０１０５】
また、レンズ群または部分レンズ群を光軸に垂直な方向の成分を持つように移動させ、または、光軸を含む面内方向に回転移動（揺動）させて、手ブレによって生じる像ブレを補正する防振レンズ群としてもよい。特に、第３レンズ群の少なくとも一部を防振レンズ群とするのが好ましい。
【０１０６】
また、レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１０７】
また、開口絞りは第３レンズ群の近傍または内部に配置されるのが好ましいが、開口絞りとしての部材を設けずに、レンズの枠でその役割を代用してもよい。
【０１０８】
また、各レンズ面には、フレアやゴーストを軽減し高コントラストの高い光学性能を達成するために、広い波長域で高い透過率を有する反射防止膜を施してもよい。
【符号の説明】
【０１０９】
ＣＡＭ  デジタル一眼レフカメラ（光学機器）
ＭＬ  撮影レンズ
Ｇ１  第１レンズ群
Ｇ１ａ  前群                            Ｇ１ｂ  後群
Ｇ２  第２レンズ群                      Ｇ３  第３レンズ群
Ｓ１  開口絞り                            Ｉ  像面
【図１】
2014211497.tif 000003
【図２】
2014211497.tif 000004
【図３】
2014211497.tif 000005
【図４】
2014211497.tif 000006
【図５】
2014211497.tif 000007
【図６】
2014211497.tif 000008
【図７】
2014211497.tif 000009
【図８】
2014211497.tif 000010
【図９】
2014211497.tif 000011
【図１０】
2014211497.tif 000012
【図１１】
2014211497.tif 000013
【図１２】
2014211497.tif 000014
【図１３】
2014211497.tif 000015
【図１４】
2014211497.tif 000016